(57)【要約】【課題】ＶＲフォーマット上において、ユーザが不要と考えるシーンを完全に消去でき、これによりＤＶＤ−Ｖｉｄｅｏフォーマットの変換後に不要なシーンが出力されることのない編集装置及び編集方法を提供する。【解決手段】本発明では、第１の記録フォーマットで記録された映像情報のうちユーザが不要であるとした期間を示すポインタが、前記第１の単位の期間内に指定されているかを検出する検出し、検出された当該第１の単位の映像情報を含む前記期間の映像情報を第１の単位で削除する削除してから第２の記録フォーマットに変換する。【選択図】  図１４
2004357055.tif 000002
【特許請求の範囲】
【請求項１】
ＭＰＥＧ規格に準拠した圧縮方式で圧縮された映像情報を第１の単位で記録する第１の記録フォーマットがあり、前記第１の記録フォーマットで記録された映像情報を、前記第１の記録フォーマットとは異なり、前記ＭＰＥＧ規格に準拠した圧縮方式で圧縮された映像情報を第２の単位で記録する第２の記録フォーマットに変換して記録媒体に記録する編集装置であって、
前記第１の記録フォーマットで記録された映像情報のうちユーザが不要であるとした期間を示すポインタが、前記第１の単位の期間内に指定されているかを検出する検出手段と、
前記検出手段により検出された当該第１の単位の映像情報を含む前記ユーザが不要とした期間の映像情報を前記第１の単位で削除する削除手段と、
前記削除手段により削除された前記第１の記録フォーマットで記録された映像情報を前記第２の記録フォーマットに変換する変換手段と
を備えたことを特徴とする編集装置。
【請求項２】
ＭＰＥＧ規格に準拠した圧縮方式で圧縮された映像情報を第１の単位で記録する第１の記録フォーマットがあり、前記第１の記録フォーマットで記録された映像情報を、前記第１の記録フォーマットとは異なり、前記ＭＰＥＧ規格に準拠した圧縮方式で圧縮された映像情報を第２の単位で記録する第２の記録フォーマットに変換して記録媒体に記録する編集方法であって、
前記第１の記録フォーマットで記録された映像情報のうちユーザが不要であるとした期間を示すポインタが、前記第１の単位の期間内に指定されているかを検出し、
検出された当該第１の単位の映像情報を含む前記ユーザが不要とした期間の映像情報を前記第１の単位で削除し、
削除された前記第１の記録フォーマットで記録された映像情報を前記第２の記録フォーマットに変換する変換することを特徴とする編集方法。
【請求項３】
ＭＰＥＧ規格に準拠した圧縮方式で圧縮された映像情報を第１の単位で記録する第１の記録フォーマットがあり、前記第１の記録フォーマットで記録された映像情報を、前記第１の記録フォーマットとは異なり、前記ＭＰＥＧ規格に準拠した圧縮方式で圧縮された映像情報を第２の単位で記録する第２の記録フォーマットに変換して記録媒体に記録する編集装置であって、
前記第１の記録フォーマットで記録された映像情報のうちユーザが不要であるとした期間を示すポインタが、前記第１の単位の期間内に指定されているかを検出する検出手段と、
前記検出手段により検出された当該第１の単位の映像情報全てを表示させる表示制御手段と、
前記表示制御手段により表示された前記当該第１の単位の映像情報を削除するか否かの指示をユーザから入力させるための入力手段と、
前記入力手段により前記当該第１の単位の映像情報を削除する指示の入力があった場合に、前記第１の記録フォーマットで記録された映像情報から前記当該第１の単位の映像情報を含む前記ユーザが不要とした期間の映像情報を前記第１の単位で削除する削除手段と、
前記削除手段により削除された前記第１の記録フォーマットで記録された映像情報を前記第２の記録フォーマットに変換する変換手段と
を備えたことを特徴とする編集装置。
【請求項４】
前記表示制御手段は、前記検出手段により検出された前記当該第１の単位の映像情報に含まれる第１フレームの画像，前記ポインタが指定するフレームの画像，最終フレームの画像を表示させるように制御することを特徴とする請求項３記載の編集装置。
【請求項５】
ＭＰＥＧ規格に準拠した圧縮方式で圧縮された映像情報を第１の単位で記録する第１の記録フォーマットがあり、前記第１の記録フォーマットで記録された映像情報を、前記第１の記録フォーマットとは異なり、前記ＭＰＥＧ規格に準拠した圧縮方式で圧縮された映像情報を第２の単位で記録する第２の記録フォーマットに変換して記録媒体に記録する編集方法であって、
前記第１の記録フォーマットで記録された映像情報のうちユーザが不要であるとした期間を示すポインタが、前記第１の単位の期間内に指定されているかを検出し、
検出された当該第１の単位の映像情報全てを表示させ、
表示された前記当該第１の単位の映像情報を削除するか否かの指示をユーザから入力させ、
前記入力により前記当該第１の単位の映像情報を削除する指示の入力があった場合に、前記第１の記録フォーマットで記録された映像情報から前記当該第１の単位の映像情報を含む前記ユーザが不要とした期間の映像情報を前記第１の単位で削除し、
削除された前記第１の記録フォーマットで記録された映像情報を前記第２の記録フォーマットに変換することを特徴とする編集方法。
【請求項６】
前記検出された前記当該第１の単位の映像情報に含まれる第１フレームの画像，前記ポインタが指定するフレームの画像，最終フレームの画像を表示させるように制御することを特徴とする請求項５記載の編集方法。
【発明の詳細な説明】
【０００１】
【発明の属する技術分野】
この発明は、ＭＰＥＧ（Ｍｏｖｉｎｇ＿Ｐｉｃｔｕｒｅ＿Ｉｍａｇｅ＿Ｃｏｄｉｎｇ＿Ｅｘｐｅｒｔｓ＿Ｇｒｏｕｐ）２に準拠した圧縮方式で圧縮された映像情報の編集に関し、特に、ＤＶＤ−Ｖｉｄｅｏ＿Ｒｅｃｏｒｄｉｎｇ（Ｄｉｇｉｔａｌ＿Ｖｅｒｓａｔｉｌｅ＿Ｄｉｓｋ−Ｖｉｄｅｏ＿Ｒｅｃｏｒｄｉｎｇ（ＤＶＤ−ＶＲ））フォーマットで記録された映像情報を編集し、これをＤＶＤ−Ｖｉｄｅｏフォーマットで記録媒体に記録する編集装置及び編集方法に関する。
【０００２】
【従来の技術】
現在、ＤＶＤ−ＶＲフォーマット（以下、ＶＲフォーマット）に基づく記録方式で、書き込み可能な光ディスクに対してストリーム（映像，音声を含む）の記録，再生が可能なＤＶＤ−ＶＲ装置が知られている（例えば、特許文献１参照）。
【０００３】
また、ＶＲフォーマットより前に、ＤＶＤ−Ｖｉｄｅｏフォーマットに基づく記録方式で記録された光ディスクからストリームの再生が可能なＤＶＤ−Ｖｉｄｅｏ装置が知られている。
【０００４】
そして、ＤＶＤ−ＶＲ装置において、ＤＶＤ−Ｖｉｄｅｏフォーマットしか再生できないＤＶＤ−Ｖｉｄｅｏ装置でも再生できるように、ＶＲフォーマットからＤＶＤ−Ｖｉｄｅｏフォーマットに変換する機能を持たせた装置が要求されている。
【０００５】
図１２は、本発明の背景を説明する図で、ＶＲフォーマットにおける編集によるストリームの変化を示す。図１２（ａ）は、ＴＶ放送等によるストリームをＶＲフォーマットでＨＤＤ若しくは光ディスクに記録した場合を示す。図１２（ｂ）は、ＶＲフォーマットのストリームをＤＶＤ−Ｖｉｄｅｏフォーマットで記録する場合に、ＶＲフォーマットでユーザが不要と考えるシーン（図１２（ａ）では、ＤＬ１の期間に相当）のうち、ＶＯＢＵ＿５のみ削除された状態を示す。
【０００６】
図１２（ａ）において、ユーザが不要と考えるシーンがＤＬ１の期間である場合、ＶＲフォーマットではＤＬ１の期間を特定するポインタをつけることにより、ＤＬ１の期間の映像情報等は削除することなく、該期間をジャンプして再生することにより、ユーザに対して、ＤＬ１のシーンを削除したように再生することができる。これにより、図１２（ａ）において、再生されるのは、番組１−ａ，番組１−ｂのみとすることができる。
【０００７】
しかしながら、ＤＶＤ−ＶＲ装置において、ＶＲフォーマットからＤＶＤ−Ｖｉｄｅｏフォーマットに変換する場合には、上記ポインタをつけることができず、ＶＲフォーマットのストリームがそのままＤＶＤ−Ｖｉｄｅｏフォーマットに変換されてしまう。このため、不要なシーンはストリーム上から削除しておく必要がある。この削除を含む編集は、通常ＧＯＰ（Ｇｒｏｕｐ  Ｏｆ  Ｐｉｃｔｕｒｅ）単位で行っていた。ＧＯＰ単位で編集する場合、ＧＯＰのデータの区切りでストリームを単純に削除，または切り出すだけで編集が実現できる。なお、ＤＶＤのストリームの１つの単位である１ＶＯＢＵ（Ｖｉｄｅｏ＿Ｏｂｊｅｃｔ＿Ｕｎｉｔ）が１ＧＯＰで構成されている。このＶＯＢＵは、通常、表示時間にして０．４から１．２秒程度のストリームである。このため、図１２（ａ）のように、ＶＯＢＵ＿４の途中からＶＯＢＵ＿６途中まで、ユーザが不要と考えるシーン（ＤＬ１）があった場合、ＶＯＢＵ＿５のみが削除されていた。ＤＶＤ−Ｖｉｄｅｏフォーマットでは、図１２（ｂ）のストリームをそのまま用いるため、ＤＶＤ−Ｖｉｄｅｏフォーマットに対応した装置で再生すると、番組１−ａと番組１−ｂとの間で、ユーザが不要と考えるシーン（図１２（ｂ）のＤＬ１’の部分で、図１２（ａ）のＶＯＢＵ＿４の後部と、ＶＯＢＵ＿６の前部とを合わせたものに相当）がコンマ数秒ではあるが表示されてしまう。
【０００８】
このために、ＶＲフォーマットからＤＶＤ−Ｖｉｄｅｏフォーマットに変換する場合、ユーザが不要と考えるシーンをＶＲフォーマット上で完全に消去しておく必要があった。
【０００９】
なお、不要なシーンを削除する方法として、例えば、ＶＯＢＵ＿４，ＶＯＢＵ＿６含めて再エンコードすることで対応できるが、再エンコードでは処理に時間がかかる上に、画質の劣化を引き起こすという問題点があった。
【００１０】
この他、従来の光ディスク装置は、一旦広告ブロックを含んで映画を記録し、次にこの中から広告ブロックの始まりと終わりの情報をメモリに集め、該ブロックを再生しないようにナビゲーションデータを記録している（例えば、特許文献２参照）。
【００１１】
【特許文献１】
特開２０００−１５６８４３号公報（第１４−２４項、図１５，図２２，図２４，図２６，図２７）
【００１２】
【特許文献２】
特開２０００−６９４１３号公報（第１−５項、図１，図２）
【００１３】
【発明が解決しようとする課題】
上述したように、特に、ＤＶＤ−ＶＲ装置において、ＶＲフォーマットからＤＶＤ−Ｖｉｄｅｏフォーマットに変換する場合、所定の編集の単位以下のユーザが不要と考える映像情報が残っていると、ＤＶＤ−Ｖｉｄｅｏ装置ではそのまま出力されてしまうという問題点があった。
【００１４】
この発明は、上述した問題点を解決し、ＶＲフォーマット上において、ユーザが不要と考える映像情報を完全に消去でき、これによりＤＶＤ−Ｖｉｄｅｏフォーマットの変換後に不要な映像情報が出力されることのない編集装置及び編集方法を提供することを目的とする。
【００１５】
また、上記不要な映像情報の削除をユーザが選択可能にした編集装置及び編集方法を提供することを目的とする。
【００１６】
【課題を解決するための手段】
この発明の編集装置は、ＭＰＥＧ規格に準拠した圧縮方式で圧縮された映像情報を第１の単位で記録する第１の記録フォーマットがあり、前記第１の記録フォーマットで記録された映像情報を、前記第１の記録フォーマットとは異なり、前記ＭＰＥＧ規格に準拠した圧縮方式で圧縮された映像情報を第２の単位で記録する第２の記録フォーマットに変換して記録媒体に記録する編集装置であって、
前記第１の記録フォーマットで記録された映像情報のうちユーザが不要であるとした期間を示すポインタが、前記第１の単位の期間内に指定されているかを検出する検出手段と、
前記検出手段により検出された当該第１の単位の映像情報を含む前記ユーザが不要とした期間の映像情報を前記第１の単位で削除する削除手段と、
前記削除手段により削除された前記第１の記録フォーマットで記録された映像情報を前記第２の記録フォーマットに変換する変換手段とを備えたことを特徴とする。
【００１７】
そして、上記によれば、ユーザが不要であるとした期間を示すポインタが、第１の単位の期間内に指定されている当該第１の単位の映像情報含む前記ユーザが不要であるとした期間の映像情報を削除した上で、第２の記録フォーマットに変換するので、該フォーマットで映像情報を再生した際に、不要な映像情報が再生されることがない。
【００１８】
また、この発明の編集方法は、ＭＰＥＧ規格に準拠した圧縮方式で圧縮された映像情報を第１の単位で記録する第１の記録フォーマットがあり、前記第１の記録フォーマットで記録された映像情報を、前記第１の記録フォーマットとは異なり、前記ＭＰＥＧ規格に準拠した圧縮方式で圧縮された映像情報を第２の単位で記録する第２の記録フォーマットに変換して記録媒体に記録する編集方法であって、
前記第１の記録フォーマットで記録された映像情報のうちユーザが不要であるとした期間を示すポインタが、前記第１の単位の期間内に指定されているかを検出し、
検出された当該第１の単位の映像情報を含む前記ユーザが不要とした期間の映像情報を前記第１の単位で削除し、
削除された前記第１の記録フォーマットで記録された映像情報を前記第２の記録フォーマットに変換する変換することを特徴とする。
また、この発明の編集装置は、ＭＰＥＧ規格に準拠した圧縮方式で圧縮された映像情報を第１の単位で記録する第１の記録フォーマットがあり、前記第１の記録フォーマットで記録された映像情報を、前記第１の記録フォーマットとは異なり、前記ＭＰＥＧ規格に準拠した圧縮方式で圧縮された映像情報を第２の単位で記録する第２の記録フォーマットに変換して記録媒体に記録する編集装置であって、
前記第１の記録フォーマットで記録された映像情報のうちユーザが不要であるとした期間を示すポインタが、前記第１の単位の期間内に指定されているかを検出する検出手段と、
前記検出手段により検出された当該第１の単位の映像情報全てを表示させる表示制御手段と、
前記表示制御手段により表示された前記当該第１の単位の映像情報を削除するか否かの指示をユーザから入力させるための入力手段と、
前記入力手段により前記当該第１の単位の映像情報を削除する指示の入力があった場合に、前記第１の記録フォーマットで記録された映像情報から前記当該第１の単位の映像情報を含む前記ユーザが不要とした期間の映像情報を前記第１の単位で削除する削除手段と、
前記削除手段により削除された前記第１の記録フォーマットで記録された映像情報を前記第２の記録フォーマットに変換する変換手段とを備えたことを特徴とする。
【００１９】
そして、上記によれば、当該第１の単位の映像情報を表示させ、これを削除するか残すかをユーザに選択させることができるので、ユーザにとって自由度の高い編集を行うことができる。
また、前記表示制御手段は、前記検出手段により検出された前記当該第１の単位の映像情報に含まれる第１フレームの画像，前記ポインタが指定するフレームの画像，最終フレームの画像を表示させるように制御することを特徴とする。
また、この発明の編集方法は、ＭＰＥＧ規格に準拠した圧縮方式で圧縮された映像情報を第１の単位で記録する第１の記録フォーマットがあり、前記第１の記録フォーマットで記録された映像情報を、前記第１の記録フォーマットとは異なり、前記ＭＰＥＧ規格に準拠した圧縮方式で圧縮された映像情報を第２の単位で記録する第２の記録フォーマットに変換して記録媒体に記録する編集方法であって、
前記第１の記録フォーマットで記録された映像情報のうちユーザが不要であるとした期間を示すポインタが、前記第１の単位の期間内に指定されているかを検出し、
検出された当該第１の単位の映像情報全てを表示させ、
表示された前記当該第１の単位の映像情報を削除するか否かの指示をユーザから入力させ、
前記入力により前記当該第１の単位の映像情報を削除する指示の入力があった場合に、前記第１の記録フォーマットで記録された映像情報から前記当該第１の単位の映像情報を含む前記ユーザが不要とした期間の映像情報を前記第１の単位で削除し、
削除された前記第１の記録フォーマットで記録された映像情報を前記第２の記録フォーマットに変換することを特徴とする。
また、前記検出された前記当該第１の単位の映像情報に含まれる第１フレームの画像，前記ポインタが指定するフレームの画像，最終フレームの画像を表示させるように制御することを特徴とする。
【００２０】
【発明の実施の形態】
以下、図面を参照しながら本発明の実施の形態について詳細に説明する。
【００２１】
図１は、本発明が適用される編集装置としての録画再生装置の構成を示すブロック図である。この録画再生装置は、ハーディスクドライブ（ＨＤＤ）２０と、ビデオファイルを構築できる情報記憶媒体である光ディスク１０を回転駆動し、この光ディスク１０に対して情報の読み書きを実行するディスクドライブ３５と、録画側を構成するエンコーダ部５０と、再生側を構成するデコーダ部６０と、装置本体の動作を制御するマイクロコンピュータブロック３０とを主たる構成要素としている。
【００２２】
エンコーダ部５０は、ＡＤＣ（アナログデジタルコンバータ）５２と、Ｖ（ビデオ）エンコーダと、Ａ（オーディオ）エンコーダと、ＳＰ（副映像）エンコーダを含むエンコーダ群５３と、各エンコーダの出力を所定のフォーマットにするフォーマッタ５６と、バッファメモリ５７とを備えている。
【００２３】
ＡＤＣ５２には、ＡＶ入力部４２からの外部アナログビデオ信号＋外部アナログオーディオ信号、あるいはＴＶ（テレビジョン）チューナ４４からのアナログＴＶ信号＋アナログ音声信号が入力される。
【００２４】
データプロセッサ３６は、マイクロコンピュータブロック３０の制御に従って、エンコーダ部５０から出力されたＤＶＤ記録データをディスクドライブ３５に供給したり、光ディスク１０から再生したＤＶＤ再生信号をディスクドライブ３５から取り込んだり、光ディスク１０に記録された管理情報を書き替えたり、光ディスク１０に記録されたデータの削除をしたりする。
【００２５】
マイクロコンピュータブロック３０は、ＭＰＵ（マイクロプロセシングユニット）と、制御プログラム等が書き込まれたＲＯＭと、プログラム実行に必要なワークエリアを提供するためのＲＡＭとを含んでいる。
【００２６】
マイクロコンピュータブロック３０のＭＰＵは、そのＲＯＭに格納された本発明を含む制御プログラムに従い、ＲＡＭをワークエリアとして用いて、編集、欠陥場所検出、未記録領域検出、録画情報記録位置設定、ＵＤＦ記録、ＡＶアドレス設定等を実行する。
【００２７】
デコーダ部６０は、パック構造を持つ映像情報から各パックを分離して取り出すセパレータ６２と、パック分離やその他の信号処理実行時に使用するメモリ６３と、セパレータ６２で分離された主映像データをデコードするＶデコーダと、セパレータ６２で分離された副映像データをデコードするＳＰデコーダと、セパレータ６２で分離されたオーディオデータをデコードするＡデコーダによるデコーダ群６４と、Ｖデコーダから得られる主映像データにＳＰデコーダから得られる副映像データを適宜合成し、主映像にメニュー、字幕その他の副映像を重ねて出力するビデオプロセッサ６６を備えている。
【００２８】
Ａデコーダの出力をデジタル出力する場合は、インターフェース（Ｉ／Ｆ）７５を介して外部へ出力され、アナログ出力する場合は、セレクタ７６を介してＤＡＣ７７でアナログ変換され外部に出力される。セレクタ７６は、マイクロコンピュータブロック３０からのセレクト信号により、ＴＶチューナ４４やＡ／Ｖ入力部４２からＡＤＣ５２を介して入力される信号とデコーダ群６４から入力される信号の一方を選択して出力する。アナログオーディオ信号は、図示しない外部コンポーネント（２チャンネル〜６チャンネルのマルチチャンネルステレオ装置）に供給される。
【００２９】
キー入力部１１は再生（ＰＬＡＹ）、停止（ＳＴＯＰ）、録画（ＲＥＣ）、スキップ（Ｓｋｉｐ）、早送り（ＦＦ）、逆送り（Ｒｅｗ）、スロー（Ｓｌｏｗ）エンターキー等のボタンを有し、このボタンを押下することによりユーザは本録画再生装置を操作し、ＨＤＤ２０又は書き換え可能光ディスク１０に対して録画、再生及び録画された映像データを編集できる。
【００３０】
図２は、図１に示した録画再生装置に適用される光ディスク１０の一例として、ＤＶＤのＶＲフォーマットのビデオ及びオーディオファイルのディレクトリ構造について示している。
【００３１】
ＤＶＤでは、規格毎にディレクトリが存在し、これらのディレクトリ名を、ＤＶＤ−ＶＲでは、「ＤＶＤ＿ＲＴＡＶ」、ＤＶＤ−Ａｕｄｉｏでは、「ＡＵＤＩＯ＿ＴＳ」、ＤＶ  Ｄ−Ｖｉｄｅｏでは、「ＶＩＤＥＯ＿ＴＳ」としている。図２は「ＤＶＤ＿ＲＴＡＶ」を示す。記録データは、各ディレクトリ内に存在する。また、ＤＶＤでは、通常のファイル形式でデータが保存される。タイトルは、例えば映画の１本分に相当し、１枚のディスクにこのタイトルが複数記録可能である。
【００３２】
ディレクトリ「ＤＶＤ＿ＲＴＡＶ」内には、ビデオマネジャー（ＶＭＧ）ファイルとしてのＶＲ＿ＭＡＮＧＲ．ＩＦＯ，ムービービデオファイルとしてのＶＲ＿ＭＯＶＩＥ．ＶＲＯ，スチルピクチャービデオファイルとしてのＶＲ＿ＳＴＩＬＬ．ＶＲＯ，スチルピクチャーオーディオファイルとしてのＶＲ＿ＡＵＤＩＯ．ＶＲＯ，ビデオマネジャーのバックアップとしてのＶＲ＿ＭＡＮＧＲ．ＢＵＰの各ファイルが存在する。
【００３３】
ＶＲ＿ＭＡＮＧＲ．ＩＦＯファイルには、光ディスク１０を管理する管理情報が記録されるもので、この管理情報は、プログラム，エントリーポイント，プレイリストなどを進行させるためのデータである。
【００３４】
ＶＲ＿ＭＯＶＩＥ．ＶＲＯファイルは、ムービービデオオブジェクト（ムービーＶＯＢ）を記録するためのいわゆるムービーＡＶファイルである。
【００３５】
ＶＲ＿ＳＴＩＬＬ．ＶＲＯは、スチルピクチャーＶＯＢを記録するためのスチルピクチャＡＶファイルである。このＶＲ＿ＳＴＩＬＬ．ＶＲＯは、任意のサブピクチャーユニットを含むビデオパートで構成されるオリジナルＶＯＢを記録するために用いられる。またこのとき、ビデオパートに関連したオーディオパートもオリジナルＶＯＢに含まる。
【００３６】
ＶＲ＿ＡＵＤＩＯ．ＶＲＯは、スチルピクチャーに対する付加オーディオストリームを記録するためのスチルピクチャー付加オーディオファイルである。この付加オーディオパートは、アフターレコーディングにより記録されたオーディオストリームを示す。ＶＲ＿ＡＵＤＩＯ．ＶＲＯに記録されたオーディオパートは、ＶＲ＿ＳＴＩＬＬ．ＶＲＯに記録された幾つかのビデオパートとの組み合せで使用される。
【００３７】
図３は、上記のムービービデオファイルとしてのＶＲ＿ＭＯＶＩＥ．ＶＲＯ及びスチルピクチャービデオファイルとしてのＶＲ＿ＳＴＩＬＬ．ＶＲＯのファイル構造を示している。
【００３８】
ビデオファイルは階層構造であり、１つのファイルは複数のＶＯＢ（ビデオオブジェクト）で構成され、１つのＶＯＢは複数のＶＯＢＵ（ビデオオブジェクトユニット）で構成され、１つのＶＯＢＵは複数パックから構成される。複数のパックとしては、ＲＤＩパック，Ｖパック，ＳＰパック，Ａパックが存在する。なお、副映像パック（ＳＰパック），オーディオパック（Ａパック）を含まない場合もある。
【００３９】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ、あるいはＡＣ３などの方式で処理されたものであり、パックヘッダ、パケットヘッダ、オーディオデータ部で構成される。また、ＳＰパックには、副映像データが記録される。
【００４０】
パック内には、適宜、再生時刻を示すＰＴＳ（プレゼンテーションタイムスタンプ）や、デコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。
【００４１】
１つのビデオオブジェクトユニット（ＶＯＢＵ）の再生時間は、通常、ビデオオブジェクトユニット中に含まれる１以上の映像グループ（グループオブピクチャ：略してＧＯＰ）で構成されるビデオデータの再生時間となる。通常、１ＧＯＰはＭＰＥＧ２規格では約０．５秒であって、その間に１５枚程度のフレーム画像を再生するように圧縮された映像データが格納される。
【００４２】
ＭＰＥＧデータストリームは、ＧＯＰの単位でエンコードが行われる。ＧＯＰ内にはイントラ符号化画面（Ｉピクチャ）と、インター符号化画面（Ｐピクチャ、Ｂピクチャ）とが含まれる。
【００４３】
次に、図４乃至図１０は、ＤＶＤ−ＶＲフォーマットのうち、本発明に関連する部分の説明である。図４乃至図１０は、図２のＶＲ＿ＭＡＮＧＲ．ＩＦＯの階層構造を示す図である。
【００４４】
ＶＲ＿ＭＡＮＧＲ．ＩＦＯ内には、Ｍ＿ＡＶＦＩ（Ｍｏｖｉｅ  ＡＶ  Ｆｉｌｅ  Ｉｎｆｏｒｍａｔｉｏｎ）と呼ばれる情報が記録されており、そのなかにはＭ＿ＶＯＢＩと呼ばれるデータが書かれており、この中にＶＯＢ内の映像を最初に表示する時間や最終表示時間等が記録されており、ＴＭＡＰＩ（Ｔｉｍｅ  ＭＡＰ  Ｉｎｆｏｒｍａｔｉｏｎ）も記録されている（図３参照）。ＴＭＡＰＩには、図４のような情報が書かれており、対象ＶＯＢＵのプレゼンテーションタイムや、ＶＲ＿ＭＡＮＧＲ．ＩＦＯからのオフセットアドレスなどが記録されている。
【００４５】
このようにＶＲ＿ＭＡＮＧＲ．ＩＦＯには、再生に必要なデータが記録されている。
【００４６】
またユーザにより編集された再生制御情報は図３のユーザ定義ＰＧＣＩＴ（ＵＤ＿ＰＧＣＩＴ，Ｕｓｅｒ  Ｄｅｆｉｎｅｄ  ＰＧＣ  Ｉｎｆｏｒｍａｔｉｏｎ  Ｔａｂｌｅ）に記録される。ＵＤ＿ＰＧＣＩＴは、図５のような情報が書かれており、編集ポイント（エントリーポイントと呼ばれる）のプレゼンテーションタイムなどが記録されている。
【００４７】
なお、図１１は、図２乃至図１０のファイル，管理情報と、ＵＤ＿ＰＧＣＩＴとオリジナルＰＧＣとの関係の概略を示した図である。
【００４８】
オリジナルＰＧ  Ｃのセルあるいはユーザ定義のＰＧＣのセルの再生開始時間及び再生終了時間は、図４のＭ＿ＶＯＢＩに含まれるタイムマップ情報ＴＭＡＰＩにより、対応するビデオデータ等が格納されたＶＯＢＵの、ＶＲ＿ＭＯＶＩＥ．ＶＲＯファイルの先頭からのファイルポインタに変換され、ファイルシステムにより物理アドレスに変換され、アクセスできる。各セルを再生するためには、図８のセル情報ＣＩ（Ｃｅｌｌ  Ｉｎｆｏｒｍａｔｉｏｎ）には、ＶＯＢＩを特定するための図９に示すムービーＶＯＢＩサーチポインタ番号を示すＭ＿ＶＯＢＩ＿ＳＲＰＮ（図３に示すＭ  ＿ＶＯＢＩ＿ＳＲＰ＃１〜＃ｎの１つを特定する），再生開始時間，再生終了時間が記述されている。セルを再生する際には、再生開始時間及び終了時間を対応するＶＯＢＩに含まれるＴＭＡＰを用いて、セルの再生時間に対応するＶＯＢＵを再生する。
【００４９】
次に、本発明の概要について、図１２，図１３を用いて説明する。
【００５０】
従来の技術でも説明した通り、ＶＲフォーマットのストリーム（映像情報，音声情報を含む）をＤＶＤ−Ｖｉｄｅｏフォーマットに変換する場合、ユーザが不要と考える部分（図１２（ａ）では、例えばＤＬ１の部分）を削除しても再エンコードをしない場合であれば、ＶＯＢＵ＿５が削除されるのみで、図１２（ｂ）に示すようにＤＬ１’のシーンが残り、これもＤＶＤ−Ｖｉｄｅｏフォーマットに変換されていた。このため、図１２（ｂ）をＤＶＤ−Ｖｉｄｅｏプレーヤで再生した場合、コンマ数秒ではあるが、ＤＬ１’に相当するシーンが表示されてしまっていた。
【００５１】
本発明では、図１３（ｂ）に示すように、ユーザが不要と考える部分（ＤＬ１’）を含むＶＯＢＵ（ＶＯＢＵ＿４乃至ＶＯＢＵ＿６）を削除する若しくは削除するか否かをユーザに選択させるものである。
【００５２】
これにより、ＶＲフォーマットからＤＶＤ−Ｖｉｄｅｏフォーマットに変換する場合、再エンコードを必要とせず、ユーザが不要と考えるシーンをどのように扱うかを決定することができる。
【００５３】
以下、本発明によるＶＲフォーマットデータの編集について、説明する。
【００５４】
図１４は、本発明の一実施形態に係る編集動作を示すフローチャートである。
【００５５】
ステップＳ１で、図１の録画再生装置は、ユーザによるキー入力部１１からのＲＥＣキー入力に対応して、マイクロコンピュータブロック３０がユーザがエンコーダ部５０，データプロセッサ３６，ディスクドライブ３５に指示を与えることにより、ＴＶチューナ４４からのアナログＴＶ信号＋アナログ音声信号若しくはＡ／Ｖ入力部４２からの外部アナログビデオ信号＋外部アナログオーディオ信号をＶＲフォーマットで光ディスク１０に記録する。これにより、図１２（ａ）に示すストリームが光ディスク１０に記録される。
【００５６】
ステップＳ２で、マイクロコンピュータブロック３０は、キー入力部１１からの入力をチェックする。ここで、ユーザによる上記光ディスク１０にＶＲフォーマットで記録されたストリームに対する編集要求があり、この中で図１３（ａ）のＤＬ１に相当する部分の削除要求として、削除対象の開始時間ｔ１及び終了時間ｔ２を受けた場合、ステップＳ３において、ＤＬ１にのみ対応するＶＯＢＵ＿５のみを削除し、番組１−ａ，番組１−ｂに関連するＶＯＢＵ＿４，ＶＯＢＵ＿６は削除対象から除外する。これは通常の削除処理がＶＯＢＵ単位で行われることによるものである。なお、ステップＳ２において、ユーザからの不要シーン削除要求がなければ後述するステップＳ５に進む。
【００５７】
これは、具体的には、上述したＶＲフォーマットのうち、タイムマップテーブルを参照し、削除対象を示すエントリーポイント１（開始時間ｔ１）及びエントリーポイント２（終了時間ｔ２）に対応するＶＯＢＵを特定するとともに、一時記憶部３７に記憶している光ディスク１０をディスクドライブ３５にローディングした後に読み取り記憶しているＶＲフォーマットの管理情報（ＲＴＲ＿ＶＭＧ）を参照し、Ｍ＿ＡＶＦＩＴ，Ｍ＿ＡＶＦＩ，Ｍ＿ＶＯＢＩ＿ＳＲＰ，Ｍ＿ＶＯＢＩ，ＴＭＡＰ，１０秒毎に作られるＴＭ＿ＥＮＴのＶＯＢＵ＿ＥＮＴＮでＶＯＢＵ＿ＥＮＴのナンバーを特定し、特定されたＶＯＵＢ＿ＥＮＴのＶＯＢＵ＿ＰＭ＿ＴＭ並びにＴＭＡＰの全てのＴＭ＿ＥＮＴのＶＯＢＵ＿ＡＤＲ，全てのＶＯＢ  Ｕ＿ＥＮＴのＶＯＢＵ＿ＰＭ＿ＴＭ，ＶＯＢＵ＿ＳＺから、削除対象の開始時間ｔ１及び終了時間ｔ２が、光ディスク１０にＶＲフォーマットで記録されている全記録時間のどの時間に相当するかを順次比較する。まず、ｔ１との比較を行う。ｔ１と比較してｔ１より小さくかつ最も近いＶＯＢＵの再生時間を検索する。この結果、ＶＯＢＵ＿５の再生開始時間ｖｔ５ではなくＶＯＢＵ＿４の再生時間ｖｔ４が抽出される。このｖｔ４を一旦一時記憶部３７に記憶する。次に、ｔ２との比較を行う。ｔ２と比較してｔ２より大きくかつ最も近いＶＯＢＵの再生時間を検索する。この結果、ｖｔ６ではなくｖｔ７（これはＶＯＢＵ＿７の再生開始時間であるとともに、ＶＯＢＵ＿６の再生終了時間となる）が抽出される。このｖｔ７も一旦一時記憶部３７に記憶する。そして、マイクロコンピュータブロック３０は、ＶＯＢＵ＿４からＶＯＢＵ＿６が削除対象候補であることを認識する。
【００５８】
次にＶＯＢＵ＿４からＶＯＢＵ＿６の範囲を比較する。これは、どのＶＯＢＵを削除するかを決定するためのものである。まず、一時記憶部３７に記憶しているｖｔ４からｖｔ７の間に存在する全ての再生時間ｖｔを検索する。その結果、ｖｔ４からｖｔ７が得られる。そして、各値毎に、ｔ１，ｔ２との比較を順次行う。まず、ｖｔ４とｔ１との比較を行い、比較結果であるｖｔ４＜ｔ１を一時記憶部３７に記憶する。次に、ｖｔ４とｔ２との比較を行い、ｖｔ４＜ｔ２を記憶する。さらに、ｖｔ５とｔ１，ｖｔ５とｔ２との比較を行い、ｖｔ５＞ｔ１，ｖｔ５＜ｔ２であることを記憶する。上記の比較結果から、ｖｔ４＜ｔ１＜ｖｔ５＜ｔ２が導かれ、ＶＯＢＵ＿４の間（ｖｔ４とｖｔ５との間）にｔ１があることをわかる。このため、ＶＯＢＵ＿４は削除対象から除外される。
【００５９】
ＶＯＢＵ＿４（ｖｔ４）の判断が終了したので、ＶＯＢＵ＿５の判断に移る。上記と同様、ｖｔ５とｔ１，ｖｔ５とｔ２との比較を行い、ｖｔ５＞ｔ１，ｖｔ５＜ｔ２を得る。次に、ｖｔ６とｔ１，ｖｔ６とｔ２との比較を行い、ｖｔ６＞ｔ１，ｖｔ６＜ｔ２を得る。上記の比較結果から、ｔ１＜ｖｔ５＜ｖｔ６＜ｔ２が導かれ、ｔ１とｔ２との間に、ＶＯＢＵ＿５（ｖｔ５及びＶＯＢＵ＿５の再生終了時間でもあるｖｔ６）が存在することがわかる。このためＶＯＢＵ＿５は削除対象となる。
【００６０】
ＶＯＢＵ＿６の判断に移る。上記と同様、ｖｔ６とｔ１，ｖｔ６とｔ２，ｖｔ７とｔ１，ｖｔ７とｔ２の比較結果から、ｔ１＜ｖｔ６＜ｔ２＜ｖｔ７が導かれ、ＶＯＢＵ＿６の間（ｖｔ６とｖｔ７との間）にｔ２があることがわかり、ＶＯＢＵ＿４の場合と同じく、削除対象から除外される。以上で削除対象であるＶＯＢＵ＿４からＶＯＢＵ＿６の範囲の比較が終了したことから、マイクロコンピュータブロック３０は、データプロセッサ３６，ディスクドライブ３５に指示し、光ディスク１０からＶＯＢＵ＿５を削除する。これにより、図１３（ｂ）のＤＬ１’を含むストリームとなる。
【００６１】
上記ＶＯＢＵ＿５を削除すると、ＶＯＢＵ＿６以降の再生時間も変更となるため、タイムマップ含めて変更する必要がある。このため、ステップＳ４で、図１３（ａ）に対応した再生手順を規定したＰＧＣＩ（これをオリジナルＰＧＣとする）とは別に、図１３（ｂ）に対応し、ユーザの編集した結果に対応する再生手順を規定したＵＤ＿ＰＧＣＩを規定する。これは、上述した図４及び図６，図７に示したように、ＰＧＣＩとして同じ構造（ＰＧＣ＿ＧＩ，ＰＧＩ，ＣＩ＿ＳＲＰ，ＣＩ）を持つＵＤ＿ＰＧＣＩを含むとともに、ＵＤ＿ＰＧＣＩＴＩ，ＵＤ＿ＰＧＣＩ＿ＳＲＰを有する。
【００６２】
ステップＳ５において、マイクロコンピュータブロック３０が、ユーザからキー入力部１１を介して光ディスク１０に記録しているＶＲフォーマットのストリームをＤＶＤ−Ｖｉｄｅｏフォーマットのストリームに変換する要求が入力されると、一時記憶部３７をチェックし、ステップＳ３において、削除対象から除外した削除対象の開始時間ｔ１及び終了時間ｔ２に対応したＶＯＢＵ＿４，ＶＯＢＵ＿６が存在することを認識する。ここで抽出されたＶＯＢＵ＿４，ＶＯＢＵ＿６を、マイクロコンピュータブロック３０は、ユーザが不要としたシーンを含むＶＯＢＵとして扱うとともに、ユーザに対して、表示部４８に”編集で不要とされたシーンが残っています。変換時に削除します。”等メッセージを表示し、通知する（ステップＳ７）。マイクロコンピュータブロック３０は、ＶＯＢＵ＿４，ＶＯＢＵ＿６は、ＤＶＤ−Ｖｉｄｅｏフォーマットへの変換対象からはずすともに、ＶＯＢＵ＿４，ＶＯＢＵ＿６を一時記憶部３７に記憶する。続いて、ステップＳ９で、ＶＲフォーマットのストリームを、図１３（ｂ）のＶＯＢＵ＿０からＶＯＢＵ＿３，ＶＯＢＵ＿７，ＶＯＢＵ＿８の順に順次ＤＶＤ−Ｖｉｄｅｏフォーマットに変換する。これは、例えば、図３に示したＶＲフォーマットにおけるＶＯＢＵの先頭に配置されたＲＤＩパックを、ＤＶＤ−ＶｉｄｅｏフォーマットにおいてＶＯＢＵの先頭に配置されるナビパック（ＮＶ＿ＰＣＫ）に書き換える動作を行う。なお、ＶＲフォーマットからＤＶＤ−Ｖｉｄｅｏフォーマットへの変換の詳細については、特開２００３−１０１９２７号公報に詳細な説明があるので省略する。
【００６３】
なお、ステップＳ６において、不要なシーンを削除したポイントがＶＯＢＵ間になければ（例えば、図１３（ａ）において、ＤＬ１がＶＯＢＵ＿４からＶＯＢＵ＿６までであった場合）、図１４（ｂ）で示すＤＬ１’を含むＤＬ０（ＶＯＢＵ＿４とＶＯＢＵ＿６とを合わせたものに相当）のストリームが残ることなく削除されているため、ステップＳ９となる。
【００６４】
次に、本発明による別のＶＲフォーマットデータの編集について、説明する。
【００６５】
図１５は、マイクロコンピュータブロック３０は、本発明の別の実施形態の概念を示す図，図１６は、編集動作のフローチャートである。
【００６６】
本実施形態において、上述した実施形態と異なる点は、削除対象を示すエントリーポイントＥＰ１（ｔ１）若しくはＥＰ２（ｔ２）が、ＶＯＢＵの間にある場合に、該ＶＯＢＵを削除するか否かをユーザに決定させる点にある。また、編集動作については、図１４のステップＳ６以降のαからステップＳ８の前のβまでの処理が異なる。
【００６７】
図１５において、一点鎖線より紙面上部を、表示部４８に表示させる（図１６のステップＳ１００，ステップＳ１０１）。これは、一時記憶部３７に記憶されているＶＯＢＵ＿４の再生開始時間ｖｔ４及びＶＯＢＵ＿６の再生開始時間ｖｔ６（図１３（ｂ）において、ＶＯＢＵ＿４の再生終了時間に相当）に対応するＶＯＢＵ＿４のストリームを光ディスク１０からディスクドライブ３５を介して再生し、Ｖ，Ｓ，ＳＰデコーダ群６  ４でデコードし、１ＶＯＢＵ１５フレーム分の画像をマイクロコンピュータブロック３０を介して表示部４８に表示することで実現できる。
【００６８】
これにより、編集ポイントＥＰ１（ｔ１）の近傍（コンマ数秒程度）のストリームであるＶＯＢＵ＿４の１５フレームには、画像が画像０から画像９の１０フレームと、ユーザが不要と考えるシーン（ＤＬ）がＤＬ０からＤＬ４までの５フレームの計１５フレームが存在することがわかる。ユーザは図１５の表示を見て、画像０から画像９のフレームを残しておきたいか否か，ＤＬ０からＤＬ４のフレームが残ることを許容できるか否か等から、ＶＯＢＵ＿４を削除するか否かを決定をキー入力部１１を介して行う。マイクロコンピュータブロック３０は、キー入力部１１からの入力をチェックし（図１６のステップＳ１０２）、削除可との指示があれば、図１６のステップＳ８を行う。また、キー入力部１１からの入力のチェックの結果、削除不可となれば、ＤＬ部分含めてＶＯＢＵ＿４をそのままＶＲフォーマットからＤＶＤ−Ｖｉｄｅｏデータに変換する（図１６のステップＳ９）。
【００６９】
なお、上述した実施形態では、編集ポイントＥＰ１（ｔ１）を含むＶＯＢＵ＿４の全フレーム（１５フレーム）を表示することとして説明したが、これに限られるものではない。例えば、ＶＯＢＵ＿４の先頭フレーム（画像０）と、編集ポイントＥＰ１（ｔ１）のフレーム（ＤＬ０）と最終フレーム（ＤＬ４）を表示するようにしてもよい。これは、ＶＯＢＵ＿４をＶ，Ａ，ＳＰデコーダ群６４でデコードし、この出力を一旦一時記憶部３７に記憶し、マイクロコンピュータブロック３０の指示で、上記ＶＯＢＵ＿４中のＧＯＰの内容を解析し、フレーム数，各フレームの再生開始時間をチェックし、表示するフレーム（画像０，ＤＬ０，ＤＬ４）を抽出し、表示部４８に表示させる。
【００７０】
【発明の効果】
この発明によれば、ＶＲフォーマットからＤＶＤ−Ｖｉｄｅｏフォーマットへ変換した映像情報にユーザが不要と考える映像情報が含まれることがない編集装置を実現することができる。
【００７１】
また、ＶＲフォーマットからＤＶＤ−Ｖｉｄｅｏフォーマットに変換した映像情報に残る所定の編集の単位以下の不要な映像情報を削除するか否かをユーザが選択することができる。
【図面の簡単な説明】
【図１】本発明が適用される編集装置としての録画再生装置の構成を示すブロック図。
【図２】ＶＲフォーマットのディレクトリ構造を示す図。
【図３】ＶＲフォーマットのビデオオブジェクトのファイル構造を示す図。
【図４】ＶＲフォーマットの階層構造を示す図。
【図５】ＶＲフォーマットの階層構造を示す図。
【図６】ＶＲフォーマットの階層構造を示す図。
【図７】ＶＲフォーマットの階層構造を示す図。
【図８】ＶＲフォーマットの階層構造を示す図。
【図９】ＶＲフォーマットの階層構造を示す図。
【図１０】ＶＲフォーマットの階層構造を示す図。
【図１１】図２乃至図１０のファイル，管理情報と、ＵＤ＿ＰＧＣＩＴとオリジナルＰＧＣとの関係の概略を示した図。
【図１２】本発明の背景を説明するための図。
【図１３】本発明によるストリームの状態を説明するための図。
【図１４】本発明の一実施形態に係る編集動作を示すフローチャート。
【図１５】本発明の別の実施形態の概念を示す図。
【図１６】本発明の別の実施形態に係る編集動作のフローチャート。
【符号の説明】
１０  光ディスク
１１  キー入力部
２０  ハードディスクドライブ（ＨＤＤ）
３５  ディスクドライブ
５０  エンコーダ部
６０  デコーダ部
３０  マイクロコンピュータブロック
【図１】
2004357055.tif 000003
【図２】
2004357055.tif 000004
【図３】
2004357055.tif 000005
【図４】
2004357055.tif 000006
【図５】
2004357055.tif 000007
【図６】
2004357055.tif 000008
【図７】
2004357055.tif 000009
【図８】
2004357055.tif 000010
【図９】
2004357055.tif 000011
【図１０】
2004357055.tif 000012
【図１１】
2004357055.tif 000013
【図１２】
2004357055.tif 000014
【図１３】
2004357055.tif 000015
【図１４】
2004357055.tif 000016
【図１５】
2004357055.tif 000017
【図１６】
2004357055.tif 000018